(57)【要約】【課題】移動用変圧器（移動機）に繋がるケーブルのスイッチギヤへの接続の作業性を向上させる。【解決手段】本発明に係るケーブル接続装置は、スイッチギヤ内の引出式遮断器を収容する収容位置に配置され、スイッチギヤ内の回路に移動機を接続可能なケーブル接続装置であって、移動可能な台車と、該台車上に設置され、スイッチギヤ内の回路の接続端子に接続される第１接続部であって、該接続端子に嵌合状態で電気的に接続される第１接続部と、移動器に繋がるケーブルが接続される第２接続部と、第１接続部及び第２接続部を接続する接続回路とを備える。【選択図】図６
2016123178.tif 000002
【特許請求の範囲】
【請求項１】
スイッチギヤ内の引出式遮断器を収容する収容位置に配置され、スイッチギヤ内の回路に移動機を接続可能なケーブル接続装置であって、移動可能な台車と、該台車上に設置され、スイッチギヤ内の回路の接続端子に接続される第１接続部であって、該接続端子に嵌合状態で電気的に接続される第１接続部と、移動機に繋がるケーブルが接続される第２接続部と、第１接続部及び第２接続部を接続する接続回路とを備えることを特徴とするケーブル接続装置。
【請求項２】
接続回路は、第１接続部及び第２接続部の間を開閉する開閉器を有する請求項１に記載のケーブル接続装置。
【発明の詳細な説明】
【技術分野】
【０００１】
本発明は、移動機に接続されるケーブルをスイッチギヤに接続するためのケーブル接続装置に関する。
【背景技術】
【０００２】
従来、スイッチギヤは、変圧器の三次側（低圧側）に接続され、変圧器により降圧された交流電力を各配電線に供給している。スイッチギヤは、電力の安定供給のために設けられ、開閉器、遮断器、及び計測機器等の各種電気設備を有している。この種のスイッチギヤには、内部回路のメンテナンス等を容易にすべく、内部から引き出すことでスイッチギヤ内の内部回路を遮断可能な引出式遮断器を有するものがあり、このようなスイッチギヤは、該引出式遮断器の端子を嵌合可能な接続端子を有している（特許文献１参照）。
【先行技術文献】
【特許文献】
【０００３】
【特許文献１】特開２０１０−２７９２１３号公報
【発明の概要】
【発明が解決しようとする課題】
【０００４】
ところで、既設の変圧器に異常が発生した際には、移動用変圧器（移動機）を既設の変圧器の一次側及び三次側の間に配設することで、移動用変圧器で変圧した電力をスイッチギヤに向けて電力供給することが可能になっている。これにより、既設の変圧器に異常が発生した場合であっても、長期停電となることを防いでいる。
【０００５】
移動用変圧器をスイッチギヤに接続する際、移動用変圧器の三次側は、ケーブルを介してスイッチギヤの移動機器接続箇所に接続される。移動機器接続箇所は、スイッチギヤの上部（天井部）に設けられる場合があり、このような移動機器接続箇所にケーブルを接続するのは非常に困難であり、接続に時間を要する場合があった。
【０００６】
そこで、本発明は、移動用変圧器（移動機）に繋がるケーブルのスイッチギヤへの接続の作業性を向上させることができ、接続時間を短縮することが可能なケーブル接続装置を提供することを課題とする。
【課題を解決するための手段】
【０００７】
本発明は、スイッチギヤ内の引出式遮断器を収容する収容位置に配置され、スイッチギヤ内の回路に移動機を接続可能なケーブル接続装置であって、移動可能な台車と、該台車上に設置され、スイッチギヤ内の回路の接続端子に接続される第１接続部であって、該接続端子に嵌合状態で電気的に接続される第１接続部と、移動器に繋がるケーブルが接続される第２接続部と、第１接続部及び第２接続部を接続する接続回路とを備える。
【０００８】
このような構成において、引出式遮断器は、スイッチギヤ内の収容位置に収容されてスイッチギヤ内の回路に接続されている。この種の引出式遮断器は、スイッチギヤ内から引き出されることで、スイッチギヤ内の回路から切り離される。
【０００９】
ケーブル接続装置は、引出式遮断器を収容する収容位置に配置される。具体的には、ケーブル接続装置は、台車の移動により引出式遮断器の収容されていた収容位置に移動されることで、ケーブル接続装置は、引出式遮断器の収容されていた収容位置に配置される。
【００１０】
ケーブル接続装置が引出式遮断器の収容位置に配置されると、第１接続部は、スイッチギヤ内の回路の接続端子に嵌合される。これにより、第１接続部は、スイッチギヤ内の回路と電気的に接続され、第１接続部に接続される接続回路及び接続回路に接続される第２接続部も、スイッチギヤ内の回路と電気的に接続される。そして、移動機に接続されているケーブルが第２接続部に接続されると、第１接続部、接続回路、及び第２接続部を介してスイッチギヤ内の回路と移動機とが電気的に接続される。
【００１１】
このように、ケーブル接続装置が引出式遮断器の収容位置に配置されることで、移動機をスイッチギヤ内の回路に接続できるので、スイッチギヤ内の回路に移動機を接続する際の作業性を向上することができ、スイッチギヤ内の回路への移動機の接続時間を短縮することができる。
【００１２】
また、本発明のケーブル接続装置の一態様として、接続回路は、第１接続部及び第２接続部の間を開閉する開閉器を有してもよい。
【００１３】
このような構成において、開閉器を開いた状態で第１接続部がスイッチギヤ内の回路に電気的に接続される。その後、移動機に接続されているケーブルが第２接続部に接続され、開閉器が閉じられる。これにより、スイッチギヤ内の回路が充電している状態であっても、移動機に接続されているケーブルを安全に第２接続部に接続できる。
【発明の効果】
【００１４】
本発明は、移動用変圧器に繋がるケーブルをスイッチギヤに接続する際の作業性を向上させることができ、接続時間を短縮することが可能なケーブル接続装置を提供することができる。
【図面の簡単な説明】
【００１５】
【図１】図１は、常設の変圧器に接続されるスイッチギヤの配線図である。
【図２】図２は、スイッチギヤの構成図である。
【図３】図３は、スイッチギヤの概略構成図である。
【図４】図４は、本実施形態に係るケーブル接続装置の構成を説明する図である。
【図５】図５は、常設の変圧器から移動用変圧器に切り替えられた状態を説明する回路図である。
【図６】図６は、スイッチギヤに同実施形態に係るケーブル接続装置が接続された状態を説明する図である。
【図７】図７は、常設の変圧器から移動用変圧器に切り替えられた状態を説明する回路図である。
【図８】図８は、スイッチギヤに同実施形態に係るケーブル接続装置が接続された状態を説明する図である。
【図９】図９は、２つの配変三次箱及び４つの配電線箱が横並びに連結されたスイッチギヤの構成図である。
【発明を実施するための形態】
【００１６】
以下、本実施形態に係るケーブル接続装置について、図面を参照しつつ説明する。
【００１７】
まず、本実施形態を説明する前に、図１乃至図３を用いて、変圧器１及びスイッチギヤ２の配線と、スイッチギヤ２の構成について説明する。
【００１８】
図１に示すように、変圧器１は、三次側（低圧側）で三次側ケーブル３を介してスイッチギヤ２に接続される。変圧器１は、一次側（高圧側）の電圧を降圧してスイッチギヤ２に送るようになっている。
【００１９】
スイッチギヤ２は、三次側ケーブル３を介して変圧器１に接続される配変三次箱４と、該配変三次箱４に母線７を介して接続される配電線箱５を有する。本実施形態において、スイッチギヤ２は、２つの配電線箱５，５を有しているものとする。より具体的には、図２に示すように、スイッチギヤ２は、配変三次箱４及び配電線箱５，５を横並びに連結して構成され、横並びに配置された配変三次箱４及び配電線箱５，５が母線を介して電気的に接続される。この種のスイッチギヤ２には、内部回路のメンテナンス等を容易にすべく、内部から引き出すことでスイッチギヤ２内の内部回路を遮断可能な引出式遮断器を有するものがあり、このようなスイッチギヤ２は、該引出式遮断器の端子を嵌合可能な接続端子を有している。なお、本実施形態の説明において、スイッチギヤ２は、母線７に繋がる移動機器接続箇所を有する既設のスイッチギヤ２を例として説明する。
【００２０】
配変三次箱４は、引出式の配変三次箱遮断器４１を有し、該配変三次箱遮断器４１を配変三次箱４から引き出すことで、配変三次箱４の内部の回路を遮断可能に構成されている。また、配電線箱５は、配電線箱遮断器５１を備え、該配電線箱遮断器５１のそれぞれを配電線箱５から引き出すことで、配電線箱５の内部の回路を遮断可能に構成されている。
【００２１】
図３に示すように、配変三次箱４は、配変三次箱遮断器４１を収納可能なスペースを有する箱体として形成される。そして、配変三次箱４は、内部回路として、地中を介して変圧器１から延びる三次側ケーブル３に接続される変圧器接続部４２と、天井側で母線７に接続される配電線箱接続部４３と、該配電線箱接続部４３から配変三次箱遮断器４１側に向けて延びる第１導体４４と、変圧器接続部４２から配変三次箱遮断器４１側に向けて延びる第２導体４５と、第１導体４４に配変三次箱遮断器４１を接続可能になっている第１導体接続部４６と、第２導体４５に配変三次箱遮断器４１を接続可能になっている第２導体接続部４７とを有する。すなわち、配変三次箱４は、変圧器１から延びる三次側ケーブル３に接続された変圧器接続部４２から、第２導体４５、第２導体接続部４７、配変三次箱遮断器４１、第１導体接続部４６、及び第１導体４４を経由して、母線に接続された配電線箱接続部４３に接続される内部回路を有している。ここで、第１導体接続部４６及び第２導体接続部４７のそれぞれは、スイッチギヤ２内に配変三次箱遮断器４１が収容されることで、配変三次箱遮断器４１から延びる端子に嵌合可能になっている。そして、引出式の配変三次箱遮断器４１は、スイッチギヤ２（配変三次箱４）から引き出されることで、第１導体接続部４６及び第２導体接続部４７への嵌合を解除して、第１導体接続部４６及び第２導体接続部４７の間を遮断可能に構成されている。
【００２２】
このような配変三次箱遮断器４１は、車輪を用いて移動可能な台車４１３上に遮断器本体４１０を有する。遮断器本体４１０は、配変三次箱遮断器４１のスイッチギヤ２への収容により第１導体接続部４６に嵌合可能な第１遮断器端子４１１と、配変三次箱遮断器４１のスイッチギヤ２への収容により第２導体接続部４７に嵌合可能な第２遮断器端子４１２とを有する。配変三次箱遮断器４１は、第１遮断器端子４１１及び第２遮断機端子４１２のそれぞれが、第１導体接続部４６及び第２導体接続部４７に接続されることで、第１導体接続部４６及び第２導体接続部４７の間を電気的に接続する。
【００２３】
なお、図３は、配変三次箱４について示しているが、配電線箱５の場合も同様に、配電線箱遮断器５１を収納可能なスペースを有する箱体として形成される。そして、配電線箱５は、内部回路として、地中を介して延びる配電線に接続される配電線接続部５２と、天井側で母線７に接続される母線接続部５３と、該母線箱接続部５３から配電線箱遮断器５１側に向けて延びる第１導体５４と、配電線接続部５２から配電線箱遮断器５１側に向けて延びる第２導体５５と、第１導体５４に配電線箱遮断器５１を接続可能になっている第１導体接続部５６と、第２導体５５に配電線箱遮断器５１を接続可能になっている第２導体接続部５７とを有する。すなわち、配電線箱５は、母線に接続された母線接続部５３から、第１導体５４、第１導体接続部５６、配電線箱遮断器５１、第２導体接続部５７、及び第２導体５５を経由して、配電線に接続された配電線接続部５２に接続される内部回路を有している。そして、引出式の配電線箱遮断器５１がスイッチギヤ２（配電線箱５）から引き出されることで、配電線箱５の回路（第１導体接続部５６及び第２導体接続部５７の間の回路）を遮断可能になっている。
【００２４】
本実施形態に係るケーブル接続装置１０は、スイッチギヤ２に収容されている引出式の配変三次箱遮断器４１又は配電線箱遮断器５１の収容位置に配置される。これにより、ケーブル接続装置１０は、スイッチギヤ２内の回路に接続される。
【００２５】
次に、本実施形態に係るケーブル接続装置１０について、図４乃至図８を参照して説明する。
【００２６】
図４に示すように、ケーブル接続装置１０は、スイッチギヤ２内の引出式遮断器４１，５１を収容する収容位置に配置され、スイッチギヤ２（配変三次箱４又は配電線箱５，５）内の回路に移動機１１（以下、移動用変圧器１１とする）を接続可能なケーブル接続装置１０であって、移動可能な台車１０１と、該台車１０１上に設置され、スイッチギヤ２内の回路の接続端子に接続される第１接続部１０３であって、該接続端子に嵌合状態で電気的に接続される第１接続部１０３と、移動用変圧器１１に繋がるケーブル（移動用ケーブル１３）が接続される第２接続部１０４と、第１接続部１０３及び第２接続部１０４を接続する接続回路１０５とを備える。なお、第１接続部１０３、第２接続部１０４、及び接続回路１０５は、三相交流に合わせてそれぞれが同様な回路構成である３つの回路を有しているが、本説明では簡便のため、そのうち１つの回路を例として説明する。
【００２７】
台車１０１は、底板と天板とを有し、底板に複数の車輪１０２が取り付けられていることで、移動可能に構成されている。そして、台車１０１は、底板と天板との間に第１接続部１０３、第２接続部１０４、及び接続回路１０５を設置可能に構成されている。台車１０１は、スイッチギヤ２の引出式遮断器４１，５１の収容位置に、複数の車輪１０２を回転させることで移動される。具体的には、台車１０１は、第１接続部１０３、第２接続部１０４、及び接続回路１０５を結ぶ方向に沿って移動可能となるように、底板に複数の車輪１０２が取り付けられている。そして、台車１０１は、第１接続部１０３側の端部からスイッチギヤ２内に押し込まれる。
【００２８】
第１接続部１０３は、第１導体接続部４６，５６の地上からの高さと同じ高さに配置される第１電極１０６と、第２導体接続部４７，５７の地上からの高さと同じ高さに配置される第２電極１０７とを有する。第１接続部１０３は、台車１０１の移動方向端部の一方から露出するように配置される。これにより、第１接続部１０３は、台車１０１をスイッチギヤ２の引出式遮断器の位置に移動した際に、第１導体接続部４６及び第２導体接続部４７に嵌合されて電気的に接続される。
【００２９】
第１電極１０６は、導電材料で板状に形成され、板面に沿う方向を台車１０１の移動方向に向けて配置される。また、第１電極１０６は、碍子１０８により台車１０１の天板に取り付けられている。
【００３０】
第２電極１０７は、導電材料で板状に形成され、板面に沿う方向を台車１０１の移動方向に向けて配置される。
【００３１】
第２接続部１０４は、移動用変圧器１１に繋がれた移動用ケーブル１３を接続可能に設けられる。第２接続部１０４は、スイッチギヤ２へ向けて台車１０１を移動する側の端部とは逆側の端部側で移動用ケーブル１３を接続可能に構成される。
【００３２】
接続回路１０５は、第１接続部１０３及び第２接続部１０４の間を開閉する開閉器１１０と、該開閉器１１０を動作させる動作部１１１と、開閉器１１０及び第２接続部１０４に接続される第１接続体１１２と、開閉器１１０及び第１接続部１０３に接続される第２接続体１１３とを有する。
【００３３】
開閉器１１０は、導電材料で板状に形成され、第１接続体１１２との接続位置を支点として回動することで、第２接続体１１３から物理的に離間するようになっている。開閉器１１０は、第２接続体１１３から物理的に離間することで、第２接続体１１３から電気的に切り離される。
【００３４】
動作部１１１は、開閉器１１０を開閉動作させる可動部１１４と、該可動部１１４による開閉器１１０の開閉動作を駆動する駆動機構を有する支持台１１５とを有する。
【００３５】
可動部１１４は、開閉器１１０及び支持台１１５に接続される。可動部１１４は、支持台１１５の駆動機構による制御により、開閉器１１０の閉動作において、第２接続体１１３及び第２接続部１０４を開閉器１１０により電気的に接続するように動作する。具体的には、可動部１１４は、開閉器１１０及び第２接続体１１３を接続するように動作する。一方、可動部１１４は、開閉器１１０の開動作において、開閉器１１０及び第２接続体１１３との間を離間するように動作することで、開閉器１１０及び第２接続体１１３との間を電気的に切り離す。
【００３６】
支持台１１５は、箱体内に開閉器１１０の駆動機構を有し、底板上に載置される。支持台１１５の駆動機構は、可動部１１４に接続され、可動部１１４を動作させる。なお、第２電極１０７は、碍子１２０により支持台１１５の上部に取り付けられている。
【００３７】
第１接続体１１２は、導電材料でクランク状に形成される。第１接続体１１２は、一端側で第２接続部１０４に接続され、他端側で開閉器１１０に接続される。第１接続体１１２は、碍子１０９により支持台１１５の上部に取り付けられる。
【００３８】
第２接続体１１３は、開閉器１１０に並設される中間導体１１６と、該中間導体１１６に取り外し可能に設けられる接続導体１１７，１１８を有する。
【００３９】
中間導体１１６は、導電性材料で板状に形成され、板面に沿う方向を台車１０１の移動方向に沿って配置される。そして、中間導体１１６は、台車１０１の移動方向に沿う方向の一端側で接続導体１１７，１１８に接続可能に構成されるとともに、他端側で開閉器１１０に接続可能に配置される。本実施形態において、中間導体１１６は、碍子１１９を介して、支持台１１５上に取り付けられる。
【００４０】
接続導体１１７，１１８は、第１電極１０６又は第２電極１０７を中間導体１１６に選択的に接続することにより、第１電極１０６又は第２電極１０７のいずれかを移動用変圧器１１に電気的に接続する。接続導体１１７は、板体であり、中間導体１１６及び第２電極１０７を接続する際に用いられる。接続導体１１８は、クランク状に形成され、中間導体１１６及び第１電極１０６を接続する際に用いられる。接続導体１１７及び接続導体１１８は、選択的に用いられることで第１導体接続部４６又は第２導体接続部４７に移動用変圧器１１を電気的に接続する。
【００４１】
本実施形態に関するケーブル接続装置１０の構成は以上であり、次に、本実施形態におけるケーブル接続装置１０の作用を説明する。
【００４２】
（変圧器１の故障又は三次側ケーブル３の断線等の場合）
変圧器１の故障又は三次側ケーブル３の断線等により、変圧器１から配変三次箱４に電力が供給されなくなった場合、図５に示すように、変圧器１の一次側及び配変三次箱４の間に移動用変圧器１１を接続することで、変圧器１の一次側の電力を移動用変圧器１１で変圧（降圧）して、配変三次箱４に供給する。具体的には、変圧器１の一次側にケーブルを介して移動用変圧器１１の一次側が接続される。そして、移動用ケーブル１３は、開状態に操作された移動用遮断器１２を介して移動用変圧器１１の三次側に接続される。
【００４３】
ケーブル接続装置１０は、配変三次箱４内の回路と移動用変圧器１１とを接続すべく用いられる。ケーブル接続装置１０が配変三次箱４内に押し込まれる前に、接続導体１１８は、第１電極１０６及び中間導体１１６の間に接続されて、両者を電気的に接続する。そして、開閉器１１０は、開状態（図４において点線で示された状態）に維持される。
【００４４】
配変三次箱４には、引出式の配変三次箱遮断器４１が収容されており、配変三次箱遮断器４１がスイッチギヤ２（配変三次箱４）から引き出されることで、第１導体接続部４６及び第２導体接続部４７の間が切断される。これにより、変圧器１及び母線７の間の回路が切断される。
【００４５】
ケーブル接続装置１０は、スイッチギヤ２に向けて押し込まれる。具体的には、ケーブル接続装置１０は、車輪１０２を用いて配変三次箱遮断器４１の収容位置に押し込まれる（配置される）。図６に示すように、第１電極１０６は、第１導体接続部４６に接続（嵌合）される。また、第２電極１０７は、第２導体接続部４７に接続（嵌合）される。
【００４６】
このように、ケーブル接続装置１０が配変三次箱遮断器４１の収容位置に移動された後、移動用変圧器１１に接続されている移動用ケーブル１３は、第２接続部１０４に接続される。そして、動作部１１１及び可動部１１４により、開閉器１１０は、閉状態（図４において実線で示された状態）に動作される。その後、移動用遮断器１２が閉状態になるように操作されることで、移動用変圧器１１と配変三次箱４の母線７側とが電気的に接続されて、移動用変圧器１１によって降圧された電力により、スイッチギヤ２の母線７が充電される。具体的には、移動用変圧器１１により降圧された電力は、移動用ケーブル１３、第２接続部１０４、接続回路１０５、第１接続部１０３、第１導体接続部４６、第１導体４４、及び配電線箱接続部４３を介して母線７を充電する。
【００４７】
（母線７の断線等の場合）
母線７の断線等により、配電線箱５，５に配変三次箱４から電力が供給されなくなった場合、図７に示すように、変圧器１の一次側及び配電線箱５，５の間に移動用変圧器１１を接続することで、変圧器１の一次側の電力を移動用変圧器１１で変圧（降圧）して、配電線箱５，５に供給する。具体的には、変圧器１の一次側にケーブルを介して移動用変圧器１１の一次側が接続される。移動用ケーブル１３は、開状態に操作された移動用遮断器１２を介して移動用変圧器１１の三次側に接続される。
【００４８】
ケーブル接続装置１０は、配電線箱５内の回路と移動用変圧器１１とを接続すべく用いられる。ケーブル接続装置１０が配電線箱５内に押し込まれる前に、接続導体１１７は、第２電極１０７及び中間導体１１６を電気的に接続する。そして、開閉器１１０は、開状態（図４において点線で示された状態）に維持される。本実施形態においては、ケーブル接続装置１０が１つの配電線箱５のみに接続される例で説明する。なお、ケーブル接続装置１０が２つ用意され、配電線箱５，５のそれぞれに接続されるようにしてもよい。
【００４９】
配電線箱５には、引出式の配電線箱遮断器５１が収容されており、配電線箱遮断器５１がスイッチギヤ２（配電線箱５）から引き出されることで、第１導体接続部５６及び第２導体接続部５７の間が切断される。これにより、変圧器１及び母線７の間の回路が切断される。
【００５０】
ケーブル接続装置１０は、スイッチギヤ２（配電線箱５）に向けて押し込まれる。具体的には、ケーブル接続装置１０は、車輪１０２を用いて配電線箱遮断器５１の収容位置に押し込まれる（配置される）。図８に示すように、第１電極１０６は、第１導体接続部５６に接続される。また、第２電極１０７は、第２導体接続部５７に接続される。
【００５１】
このように、ケーブル接続装置１０が配電線箱遮断器５１の収容位置に移動された後、移動用変圧器１１に接続されている移動用ケーブル１３は、第２接続部１０４に接続される。そして、動作部１１１及び可動部１１４により、開閉器１１０は、閉状態（図４において実線で示された状態）に動作される。その後、移動用遮断器１２が閉状態になるように操作されることで、移動用変圧器１１と配電線箱５の配電線側とが電気的に接続されて、移動用変圧器１１によって降圧された電力により、配電線が充電される。具体的には、移動用変圧器１１により降圧された電力は、移動用ケーブル１３、第２接続部１０４、接続回路１０５、第１接続部１０３、第２導体接続部５７、第２導体５５、及び配電線接続部５２を介して配電線を充電する。
【００５２】
以上のように、本実施形態に係るケーブル接続装置１０によれば、スイッチギヤ２内に収容されている引出式遮断器の収容位置にケーブル接続装置１０を配置することで、移動用変圧器１１及びスイッチギヤ２を電気的に接続できるので、移動用変圧器１１に繋がるケーブル（移動用ケーブル１３）のスイッチギヤ２への接続の作業性を向上することができ、接続時間を短縮することができる。
【００５３】
なお、本発明に係るケーブル接続装置は、上記実施形態に限定されることなく、種々変更することができる。
【００５４】
例えば、上記実施形態では、１つの配変三次箱４及び２つの配電線箱５，５が横並びに連結された場合について説明したが、これに限定されるものではない。図９に示すように、スイッチギヤ２が母線連絡箱１４を介して２バンク（２つの配変三次箱４及び４つの配電線箱５）で構成されているものであってもよい。母線連絡箱１４は、配変三次箱４及び配電線箱５と同様の引出式遮断器１４１を有しており、該引出式遮断器１４１の収容位置にケーブル接続装置１０を配置可能になっている。
【００５５】
また、上記実施形態では、移動用ケーブル１３は、ケーブル接続装置１０をスイッチギヤ２内に収容した後に接続する形態で説明したが、予めケーブル接続装置１０に移動用ケーブル１３を接続した上で、ケーブル接続装置１０をスイッチギヤ２内に収容するようにしてもよい。この場合、接続回路１０５は、開閉器１１０を有さない構成とすることも可能である。
【００５６】
また、上記実施形態では、母線７の断線等により、配電線箱５，５に配変三次箱４から電力が供給されなくなった場合、移動用変圧器１１を使用することよって配電線箱５，５に電力を供給する場合について説明したがこれに限定されるものではない。変圧器１が使用可能な状態であれば、変圧器１を使用して配電線箱５，５に電力を供給してもよい。具体的には、配変三次箱遮断器４１を配変三次箱４から引き出し、配変三次箱遮断器４１の収容位置にケーブル接続装置１０を配置する。同様に、配電線箱遮断器５１を配電線箱５から引き出し、配電線箱遮断器５１の収容位置にケーブル接続装置１０を配置する。この状態で配変三次箱遮断器４１の収容位置に配置したケーブル接続装置１０と配電線箱遮断器５１の収容位置に配置したケーブル接続装置１０とを接続することによって母線７をバイパスし、変圧器１を使用して配電線箱５，５に電力を供給することも可能である。
【００５７】
また、スイッチギヤ２内の回路が充電している際にケーブル接続装置１０をスイッチギヤ２内の回路に接続する際であっても、開閉器１１０を開状態にした上で移動用ケーブル１３を接続するので、第２接続部１０４が充電していない状態で安全に作業をすることができる。
【００５８】
また、スイッチギヤ２として、既設のスイッチギヤ２で説明したが、移動機器接続箇所を有しない、新設のスイッチギヤ２であっても本発明を適用できることはもちろんである。
【００５９】
また、２４ｋＶスイッチギヤや、７．２ｋＶスイッチギヤ等、変圧器１の二次側（三次側）に設けられるスイッチギヤであって、引出式遮断器を用いるスイッチギヤであれば、本発明を適用できることはもちろんである。
【符号の説明】
【００６０】
１…変圧器、２…スイッチギヤ、３…三次側ケーブル、４…配変三次箱、５…配電線箱、７…母線、１０…ケーブル接続装置、１１…移動機（移動用変圧器）、１２…移動用遮断器、１３…移動用ケーブル、１４…母線連絡箱、４１…配変三次箱遮断器（引出式遮断器）、４２…変圧器接続部、４３…配電線箱接続部、４４，５４…第１導体、４５，５５…第２導体、４６，５６…第１導体接続部、４７，５７…第２導体接続部、５１…配電線箱遮断器（引出式遮断器）、５２…配電線接続部、５３…母線接続部、１０１…台車、１０２…車輪、１０３…第１接続部、１０４…第２接続部、１０５…接続回路、１０６…第１電極、１０７…第２電極、１０８，１０９，１１９，１２０…碍子、１１０…開閉器、１１１…動作部、１１２…第１接続体、１１３…第２接続体、１１４…可動部、１１５…支持台、１１６…中間導体、１１７，１１８…接続導体、１４１…引出式遮断器、４１０…遮断器本体、４１１…第１遮断器端子、４１２…第２遮断器端子、４１３…台車
【図１】
2016123178.tif 000003
【図２】
2016123178.tif 000004
【図３】
2016123178.tif 000005
【図４】
2016123178.tif 000006
【図５】
2016123178.tif 000007
【図６】
2016123178.tif 000008
【図７】
2016123178.tif 000009
【図８】
2016123178.tif 000010
【図９】
2016123178.tif 000011